(57)【要約】【課題】１つの高圧トランスによって複数の負荷を同時駆動することが可能で、各負荷の変動によっても他の負荷の駆動が影響を受け難くするとともに、巻線の巻回作業の効率低下を回避する。【解決手段】高圧トランス１１は、１次側巻線４５Ａ、Ｂと２次側巻線４６Ａ、Ｂが各々巻回されてなる第１および第２のボビン２１Ａ、Ｂと、ボビン２１Ａ、２１Ｂに嵌挿されるＩ字形状をなす、第１および第２のコア３０Ａ、３０Ｂと、コア３０Ａ、３０Ｂの間に配されるＨ字形状をなす第３のコア３１を備える。コア３０Ａおよびコア３１により第１の磁路が、コア３０Ｂおよびコア３１により第２の磁路が、各々形成され、両磁路中の磁束の向きが、コア３１内において互いに同一となるように、ボビン２１Ａ、２１Ｂ上における１次側巻線４５Ａ、４５Ｂが互いに同一方向に巻回されている。【選択図】          図１
2005311227.tif 000002
【特許請求の範囲】
【請求項１】
１次側巻線と２次側巻線が各々巻回されてなる中空部を有する第１および第２のボビンと、これら第１および第２のボビンの該中空部に嵌挿される第１および第２のコアと、これら第１および第２のコアとは近接した位置に配される第３のコアとを備え、
前記第１のコアおよび前記第３のコアにより第１の磁路が、前記第２のコアおよび前記第３のコアにより第２の磁路が、各々形成され、
前記第１の磁路中の磁束の向きと前記第２の磁路中の磁束の向きが、前記第３のコア内において互いに同一となるように、前記第１および第２のボビン上における前記１次側巻線の巻回方向が調整されてなることを特徴とする高圧トランス。
【請求項２】
前記第１および第２のコアがほぼ同一形状のＩ字状コアとされるとともに前記第３のコアがＨ字状コアとされ、これら２つのＩ字状コアが互いに略平行に配されるとともに前記Ｈ字状コアがこれら２つのＩ字状コアの間に介在し、これら３つのコアが全体として日字状に組み合わされ、前記第１の磁路と前記第２の磁路がともに閉磁路状に形成されてなることを特徴とする請求項１記載の高圧トランス。
【請求項３】
前記第１および第２のボビン上における前記１次側巻線の始端同士および終端同士が各々電位的に略等価とされ、これら１次側巻線の巻回方向が互いに同一とされていることを特徴とする請求項１または２記載の高圧トランス。
【請求項４】
前記第１および第２のボビン上において、前記１次側巻線と前記２次側巻線の巻回領域がボビン軸方向に互いに分離して形成され、
前記Ｈ字状コアが、前記第１および第２のボビン上における前記２次側巻線の巻回領域の少なくとも高圧側と対向する部分において切り欠かれた形状とされていることを特徴とする請求項２または３記載の高圧トランス。
【請求項５】
互いに略平行な３つのアーム部を有するＥ字状コアからなる第１のコアおよび第２のコアを有し、
これら２つのコアを、対応するアーム部の端面同士が互いに対向するように組み合わせて、大略日字状に形成した状態において、
前記２つのコアの各アーム部を組み合わせてなる３つのアーム部組合せ部のうち、相対的に両端に位置する２つのアーム部組合せ部の各々を、１次側巻線と２次側巻線が各々巻回されてなる中空部を有するボビンの該中空部に嵌挿させ、
前記両端に位置するアーム部組合せ部を第１および第２のアーム部組合せ部とするとともに、中間に位置するアーム部組合せ部を第３のアーム部組合せ部としたとき、前記第１のアーム部組合せ部および前記第３のアーム部組合せ部により第１の磁路を、前記第２のアーム部組合せ部および前記第３のアーム部組合せ部により第２の磁路を、各々形成し、
前記第１の磁路中の磁束の向きと前記第２の磁路中の磁束の向きが、前記第３のアーム部組合せ部内において互いに同一となるように、前記２つのアーム部組合せ部の各々が嵌挿された各ボビン上における前記１次側巻線の巻回方向を調整してなることを特徴とする高圧トランス。
【発明の詳細な説明】
【技術分野】
【０００１】
本発明は、例えば、液晶表示パネルにおけるバックライト用放電灯の点灯回路に用いられる高圧トランスに関し、特に、２つのトランス部を一体的に組み込んだダブルトランス型の高圧トランスに関するものである。
【背景技術】
【０００２】
従来より、例えば、ノートパソコン等に使用される各種液晶表示パネルのバックライト用として数本以上の冷陰極放電ランプ（以下、ＣＣＦＬと称する）を同時に放電、点灯させるようにしたものが知られている。このようにＣＣＦＬを数本以上用いることで、液晶表示パネルの高輝度化、均一照明化等の要請に対応することができる。
【０００３】
この種のＣＣＦＬを点灯させる回路としては、１２Ｖ程度の直流電圧を、高圧トランスを用い、６０ｋＨｚ、２０００Ｖ程度以上の高周波電圧に変換して放電を開始せしめるインバータ回路が一般的である。
【０００４】
ところで、このような高圧トランス（インバータトランス）は基板に搭載され、液晶表示パネル装置等の所定スペース内に設置されるため、液晶表示パネル装置等の小型化、薄型化の要求に応じて、大幅な小型化、低背化が望まれている。また、装置の小型化を促進するため、１つの高圧トランスによって複数本のＣＣＦＬを点灯可能とする技術開発に対する要求も強いものとなっている。
【０００５】
従来、複数本のＣＣＦＬを点灯可能とする高圧トランスとしては、下記特許文献１に記載された開磁路構造のインバータトランスが知られている。特許文献１に記載されたインバータトランスは、共通の１次側巻線に対して各々別個独立に形成された複数の棒状磁芯を設け、この複数の棒状磁芯に各々２次側巻線を巻回することで、複数のＣＣＦＬの点灯を可能としたものである。
【０００６】
【特許文献１】特開２００１−２６７１５６号公報
【発明の開示】
【発明が解決しようとする課題】
【０００７】
しかしながら、上述した特許文献１記載のものは、複数の２次側巻線に対して１次側巻線は共通とされており、例えば１つのＣＣＦＬの負荷が変動したような場合には、他のＣＣＦＬに対する出力が変動してしまう。また、同一仕様のＣＣＦＬであっても、個々に特性のバラツキがあるため、このように１次側巻線を共通化したものでは、その個々の特性のバラツキによって他のＣＣＦＬの点灯が不安定となってしまう。
【０００８】
また、特許文献１記載のものでは、１次側巻線が共通化されているので作業工程が減少し、一見すると作業性に優れているようにも考えられるが、少なくとも１次側巻線は、複数のボビンを組み付けた後の状態で巻回作業を行なわなければならず、微小な高圧トランスにおける巻線巻回作業が難しくなり、全体としての作業効率は逆に低下してしまう。
【０００９】
なお、特開平１０−２０８９５６号公報には、２つのトランス部を一体化した閉磁路構造の高圧トランスが開示されているが、このようなコア構成によって、２つのＣＣＦＬに対して各々独立に出力を供給しようとしても、磁気干渉が生じ実際にダブルトランスとして稼動させることは困難である。すなわち、この特許文献１記載のものは、２つの２次側巻線の巻き始め同士と巻き終わり同士を各々接続することにより、高い電流容量および低い直流抵抗を得るものであり、本発明のものとは構成および目的を全く異にするものである。
【００１０】
本発明は上述した事情に鑑みなされたものであり、１つの高圧トランスによって複数の負荷を同時駆動することが可能で、各負荷の変動によっても他の負荷の駆動が影響を受け難い出力独立タイプとされるとともに、巻線の巻回作業の効率低下を回避し得る高圧トランスを提供することを目的とするものである。
【課題を解決するための手段】
【００１１】
このような目的を達成し得る本発明の第１の高圧トランスは、１次側巻線と２次側巻線が各々巻回されてなる中空部を有する第１および第２のボビンと、これら第１および第２のボビンの該中空部に嵌挿される第１および第２のコアと、これら第１および第２のコアとは近接した位置に配される第３のコアとを備え、
前記第１のコアおよび前記第３のコアにより第１の磁路が、前記第２のコアおよび前記第３のコアにより第２の磁路が、各々形成され、
前記第１の磁路中の磁束の向きと前記第２の磁路中の磁束の向きが、前記第３のコア内において互いに同一となるように、前記第１および第２のボビン上における前記１次側巻線の巻回方向が調整されてなることを特徴とするものである。
【００１２】
また、前記第１および第２のコアがほぼ同一形状のＩ字状コアとされるとともに前記第３のコアがＨ字状コアとされ、これら２つのＩ字状コアが互いに略平行に配されるとともに前記Ｈ字状コアがこれら２つのＩ字状コアの間に介在し、これら３つのコアが全体として日字状に組み合わされ、前記第１の磁路と前記第２の磁路がともに閉磁路状に形成されるように構成することが好ましい。
【００１３】
また、本発明の第２の高圧トランスは、互いに略平行な３つのアーム部を有するＥ字状コアからなる第１のコアおよび第２のコアを有し、
これら２つのコアを、対応するアーム部の端面同士が互いに対向するように組み合わせて、大略日字状に形成した状態において、
前記２つのコアの各アーム部を組み合わせてなる３つのアーム部組合せ部のうち、相対的に両端に位置する２つのアーム部組合せ部の各々を、１次側巻線と２次側巻線が各々巻回されてなる中空部を有するボビンの該中空部に嵌挿させ、
前記両端に位置するアーム部組合せ部を第１および第２のアーム部組合せ部とするとともに、中間に位置するアーム部組合せ部を第３のアーム部組合せ部としたとき、前記第１のアーム部組合せ部および前記第３のアーム部組合せ部により第１の磁路を、前記第２のアーム部組合せ部および前記第３のアーム部組合せ部により第２の磁路を、各々形成し、
前記第１の磁路中の磁束の向きと前記第２の磁路中の磁束の向きが、前記第３のアーム部組合せ部内において互いに同一となるように、前記２つのアーム部組合せ部の各々が嵌挿された各ボビン上における前記１次側巻線の巻回方向を調整してなることを特徴とするものである。
【００１４】
なお、本明細書において、２つのボビン上の巻線巻回方向に言及する場合には、巻線の巻上げ方向が互いに同一であるものとして説明するが、勿論これに限られるものではない。
【００１５】
また、前記第１および第２のボビン上において、前記１次側巻線と前記２次側巻線の巻回領域がボビン軸方向に互いに分離して形成され、
前記Ｈ字状コアが、前記第１および第２のボビン上における前記２次側巻線の巻回領域の少なくとも高圧側と対向する部分において切り欠かれた形状とされていることが好ましい。
【発明の効果】
【００１６】
本発明の第１の高圧トランスによれば、第１および第２のボビンに嵌挿される第１および第２のコアと、これら２つのコアの間の位置に配された第３のコアとによりコア部を構成し、第１のコアおよび第３のコアにより第１の磁路を、第２のコアおよび第３のコアにより第２の磁路を各々形成している。そして、第１の磁路により第１のボビンに巻回された２次側巻線に所定の高電圧を発生させるとともに、第２の磁路により第２のボビンに巻回された２次側巻線に所定の高電圧を発生させる。この際、第３のコア内には共用磁路が形成されることになるが、第１および第２のボビン上の１次側巻線の巻回方向を調整することにより、第３のコア内における２つの磁路中の磁束の向きが互いに同一方向となるようにし、磁気干渉の発生を阻止して共用磁路の実効性を確保することで、各２次側巻線から継続的に安定した所期の出力を得ることができるようにしている。
【００１７】
また、各ボビンに１次側、２次側の各巻線を巻回した後、各部を組み合せるようにすることが可能となることから、ダブルトランス構成であっても、巻線の巻回作業の効率低下を回避することができる。
【００１８】
さらに、互いに独立した２つの磁路を形成しつつも、その一部に共用磁路を形成する第３のコアを配しているため、各々が閉磁路構造とされた、全く独立した２つの高圧トランスを用いた場合に比べて、部品点数の削減、製造コストの低減および装置のコンパクト化を図ることができる。
【００１９】
また、本発明の第２の高圧トランスによれば、互いに略平行な３つのアーム部を有するＥ字状コアからなる第１のコアおよび第２のコアを、対応するアーム部の端面同士が互いに対向するように組み合わせ、１次側巻線と２次側巻線が各々巻回されてなるボビンを、前記２つのコアの各アーム部を組み合わせてなる３つのアーム部組合せ部のうち、相対的に両端に位置する２つのアーム部組合せ部の各々に嵌挿されるようにし、前記両端に位置するアーム部組合せ部を第１および第２のアーム部組合せ部とするとともに、中間に位置するアーム部組合せ部を第３のアーム部組合せ部としたとき、前記第１のアーム部組合せ部および前記第３のアーム部組合せ部により第１の磁路を、前記第２のアーム部組合せ部および前記第３のアーム部組合せ部により第２の磁路を、各々形成するようにしている。そして、第１の磁路により一方のボビンに巻回された２次側巻線に所定の高電圧を発生させるとともに、第２の磁路により他方のボビンに巻回された２次側巻線に所定の高電圧を発生させる。この際、第３のアーム部組合せ部には共用磁路が形成されることになるが、各ボビン上の１次側巻線の巻回方向を調整することにより、第３のアーム部組合せ部における２つの磁路中の磁束の向きが互いに同一方向となるようにし、磁気干渉の発生を阻止して共用磁路の実効性を確保することで、各２次側巻線から継続的に安定した所期の出力を得ることができるようにしている。
【００２０】
したがって、本発明の第２の高圧トランスによっても、上記第１の高圧トランスと同様の効果を奏することが可能である。
【発明を実施するための最良の形態】
【００２１】
以下、本発明の実施形態に係る高圧トランスについて、添付図面を参照しつつ詳細に説明する。
【００２２】
図１は、本発明の実施形態に係る高圧トランスを示す斜視図であり、図２はその平面図、図３はその底面図、図４はその分解図であり、図２および図３は、説明の便宜上、巻線を省略した状態で示されている。
【００２３】
本実施形態の高圧トランス１１は、ダブルリーケージトランスとも称され、２つのＣＣＦＬ（冷陰極放電ランプ）を同時に放電、点灯させるための、ＤＣ／ＡＣインバータ回路内で使用されるインバータトランスである。
【００２４】
この高圧トランス１１は、１次側巻線４５Ａ、４５Ｂと２次側巻線４６Ａ、４６Ｂが各々巻回されてなる中空部を有する第１のボビン２１Ａおよび第２のボビン２１Ｂと、これら２つのボビン２１Ａ、２１Ｂの中空部に嵌挿されるＩ字形状をなす、第１のコア３０Ａおよび第２のコア３０Ｂと、これら２つのコア３０Ａ、３０Ｂの間の位置に配されるＨ字形状をなす第３のコア３１とを備えている。
【００２５】
各ボビン２１Ａ、２１Ｂ上に巻回された１次側巻線４５Ａ、４５Ｂおよび２次側巻線４６Ａ、４６Ｂは、対応するＩ字形状をなすコア３０Ａ、３０Ｂにより電磁気的に結合されている。
【００２６】
上記２次側巻線４６Ａ、４６Ｂは、Ｉ字形状をなすコア３０Ａ、３０Ｂの軸に沿って巻回されるが、隣接する巻線間に高電圧差が生じて絶縁破壊が生じるのを阻止するため、その軸方向に複数セクションに分割されており、各セクション間には絶縁性の仕切り板４２Ａ、４２Ｂが設けられ、沿面放電の阻止に必要な絶縁距離が確保されている。また、１次側巻線４５Ａ、４５Ｂと２次側巻線４６Ａ、４６Ｂの間にも絶縁性の仕切り板４３Ａ、４３Ｂが設けられている。なお、１次側巻線４５Ａ、４５Ｂにおいても、絶縁性の仕切り板４４Ａ、４４Ｂを用いて、適宜複数のセクションに分割することが可能である。
【００２７】
また、ボビン２１Ａ、２１Ｂは、断面矩形で筒状をなし、そのボビン２１Ａ、２１Ｂの外周に１次側巻線４５Ａ、４５Ｂおよび２次側巻線４６Ａ、４６Ｂが巻回されており、ボビン２１Ａ、２１Ｂの両端面には、鍔板４０Ａ、４０Ｂが設けられている。
【００２８】
また、第１のコア３０Ａおよび第２のコア３０Ｂは、これらのコア３０Ａ、３０Ｂと同様のフェライト材料により形成された第３のコア３１と電磁気的に結合され、これにより磁路が形成される。磁路に関しては後述する。
【００２９】
また、Ｉ字形状をなすコア３０Ａ、３０Ｂと、Ｈ字形状をなすコア３１との間には微小なギャップが形成されており、そのギャップ量は、漏れ磁束をどの程度発生させるかによって決定され、このギャップ量を略０にすることも可能である。
【００３０】
また、これら３つのコア３０Ａ、３０Ｂ、３１は、絶縁材からなる巻線用端子台２７Ａ、Ｂ上に載設される。
【００３１】
また、１次側巻線４５Ａ、４５Ｂの始端および終端は、巻線用端子台２７Ａ、２７Ｂに保持固定された端子ピン１７Ａａ、１７Ｂｄ、１７Ａｂ、１７Ｂｃに接続されており、また、２次側巻線４６Ａ、４６Ｂの始端は上記巻線用端子台２７Ａ、２７Ｂに保持固定された端子ピン１７Ａｄ、１７Ｂａに、一方、その終端は上記巻線用端子台２７Ａ、２７Ｂに保持固定された端子ピン１９Ａ、１９Ｂ（図２参照）に接続される。また、巻線の暫定的な接続のためにからげ端子１８Ａ〜Ｄ（図１、２参照）が形成されている。なお、１次側巻線４５Ａ、４５Ｂおよび２次側巻線４６Ａ、４６Ｂの端子ピン１７Ａａ〜１７Ａｄ、１７Ｂａ〜１７Ｂｄ、１９Ａ、１９Ｂへの接続態様はこれに限られるものではない。また、本実施形態においては、１次側巻線４５Ａ、４５Ｂの始端同士および終端同士が各々電気的に接続されている。なお、本実施形態においては、各始端が高電圧側、各終端が低電圧側に設定されている。
【００３２】
ところで、本実施形態の高圧トランスにおいては、２つのＩ字形状をなす第１および第２のコア３０Ａ、３０Ｂの間に、１つのＨ字形状をなす第３のコア３１が挟持されるような構成とされており、図２に示すように、第１のコア３０Ａおよび第３のコア３１により第１の磁路３２Ａが形成され、また第２のコア３０Ｂおよび第３のコア３１により第２の磁路３２Ｂが、各々形成されている。これら第１および第２の磁路３２Ａ、３２Ｂは、前述したように、第１および第２のコア３０Ａ、３０Ｂと第３のコア３１との間に微小な磁気ギャップが形成されているものの、全体として閉磁路状に形成されている。
【００３３】
そして、第１の磁路３２Ａ中の磁束の向き（矢印ａ方向）と第２の磁路３２Ｂ中の磁束の向き（矢印ｂ方向）が、前記第３のコア３１内において互いに同一となるように、第１および第２のボビン２１Ａ、２１Ｂ上における１次側巻線４５Ａ、４５Ｂが互いに同一方向に巻回されている。
【００３４】
本実施形態においては、各１次側巻線４５Ａ、４５Ｂは互いに並列に電圧が印加されており、各２次側巻線４６Ａ、４６Ｂからの出力によって、２つのＣＣＦＬが同時に放電、点灯し得るようになっている。
【００３５】
すなわち、１次側巻線４５Ａ、４５Ｂが並列の状態に配されてなり、各１次側巻線４５Ａ、４５Ｂの始端同士および終端同士が電気的に接続され、かつ各１次側巻線４５Ａ、４５Ｂの巻回方向が互いに同一方向とされており、第１および第２のコア３０Ａ、３０Ｂ内の磁束の向き（矢印ｃ、ｄ方向）が互いに同一方向となるため、結局、第１の磁路３２Ａ中の磁束の向きと第２の磁路３２Ｂ中の磁束の向きが第３のコア３１内において互いに同一となる。したがって、第３のコア３１内において磁気干渉を生じる虞がなく、２つのＣＣＦＬを互いに独立に、安定して動作させることが可能となる。
【００３６】
また、本実施形態の高圧トランスは、図４に示すように、第１のボビン２１Ａ、第１のコア３０Ａ、第１の巻線用端子台２７Ａを組み付けてなる第１のトランス部３３Ａと、第２のボビン２１Ｂ、第２のコア３０Ｂ、第２の巻線用端子台２７Ｂを組み付けてなる第２のトランス部３３Ｂと、第３のコア３１とを組合せることにより形成するようになっている。また、各トランス部３３Ａ、３３Ｂにおいて、ボビン２１Ａ、２１Ｂ上に巻回される巻線は別個独立に巻回作業がなされるようになっている。したがって、１次側巻線が共通化されている、前述した特許文献１に記載されたトランスのように巻線の巻回作業が煩雑となることがなく、製造効率の低下を防止することができる。
【００３７】
なお、第１および第２のボビン２１Ａ、２１Ｂ上における２次側巻線４６Ａ、４６Ｂを互いに並列に接続して２つのＣＣＦＬを互いに独立に駆動する場合には、製造工程の単純化を図る等の点から、２次側巻線４６Ａ、４６Ｂの巻回方向を互いに同一とすることが好ましい。しかしながら、本実施形態の高圧トランスはこれに限られるものではなく、例えば、高電圧駆動が要求されるＵ字型のＣＣＦＬを点灯するような場合には、第１のトランス部３３Ａの２次側巻線４６Ａの終端をＣＣＦＬの一方の端部に、第２のトランス部３３Ｂの２次側巻線４６Ｂの終端をＣＣＦＬの他方の端部に各々接続するとともに、各終端出力が互いに逆相となるように構成することが好ましいが、この場合には、２次側巻線４６Ａ、４６Ｂの巻回方向は互いに逆とされる。
【００３８】
また、図１、２および４に示されるように、本実施形態の高圧トランス１１においては、第３のコア３１が、２次側巻線４６Ａ、４６Ｂの高圧側巻回領域と対向する部分において若干切り欠かれた形状とされている。これにより、２次側巻線４６Ａ、４６Ｂの高圧側巻回領域と対向する部分において、巻線が第３のコア３１の側部表面と離間した状態とされ、沿面放電を阻止し得る絶縁距離が確保されるため、絶縁破壊の生じ難い耐圧の大きな高圧トランスを得ることができる。
【００３９】
なお、本発明の高圧トランスとしては、上記実施形態のものに限られるものではなく、その他の種々の態様の変更が可能である。例えば、上記第１および第２のコア３０Ａ、３０ＢはＩ字状をなし、第３のコア３１はＨ字状をなすように構成されているが、この形状に限られるものではない。
【００４０】
例えば、図５の概念図において示される高圧トランス１１１のように、互いに平行な３つのアーム部を有するＥ字状コアからなる第１のコア１３０Ａおよび第２のコア１３０Ｂを有し、これら２つのコア１３０Ａ、１３０Ｂを、対応するアーム部の端面同士が互いに対向するように組み合わせて、大略日字状に形成してもよい。このようにした場合、１次側巻線と２次側巻線が各々巻回されてなる中空部を有する第１および第２のボビン１２１Ａ、１２１Ｂ（外形のみを概念的に破線で示す）に、２つのコア１３０Ａ、１３０Ｂの各アーム部を組み合わせてなる３つのアーム部組合せ部１３５Ａ、１３５Ｂ、１３５Ｃのうち、相対的に両端に位置する２つのアーム部組合せ部１３５Ａ、１３５Ｂの各々を嵌挿させるようにし、これら両端に位置するアーム部組合せ部を第１および第２のアーム部組合せ部１３５Ａ、１３５Ｂとするとともに、中間に位置するアーム部組合せ部を第３のアーム部組合せ部１３５Ｃとしたとき、第１のアーム部組合せ部１３５Ａおよび第３のアーム部組合せ部１３５Ｃにより第１の磁路１３２Ａを、第２のアーム部組合せ部１３５Ｂおよび第３のアーム部組合せ部１３５Ｃにより第２の磁路１３２Ｂを各々形成し、第１の磁路１３２Ａ中の磁束の向きｃと第２の磁路１３２Ｂ中の磁束の向きｄが、第３のアーム部組合せ部１３５Ｃ内において互いに同一となるように（矢印ａ、ｂ参照）、第１および第２のボビン１２１Ａ、１２１Ｂ上における１次側巻線の巻回方向が調整される。
【００４１】
また、各コアの断面（横断面）形状についても矩形等の特定形状に限定されるものではなく、少なくともボビンの中空部内に挿入できれば、その断面形状を円形、楕円形等の任意の形状とすることが可能である。
【００４２】
さらに、前述したように、上記第１、第２および第３のコアはフェライトにより形成されていることが好ましいが、例えば、パーマロイ、センダスト、鉄カルボニル等の材料を用いることが可能であり、これらの微粉末を圧縮成型したダストコアを使用することも可能である。
【００４３】
さらに、本発明の高圧トランスは、インバータトランスのみならず、その他の種々のトランスに適用することが可能である。
【００４４】
また、駆動対象とされる負荷としても、上述したＣＣＦＬに限られるものではない。
【図面の簡単な説明】
【００４５】
【図１】本発明の実施形態に係る高圧トランスを示す斜視図
【図２】本発明の実施形態に係る高圧トランスを示す平面図
【図３】本発明の実施形態に係る高圧トランスを示す底面図
【図４】本発明の実施形態に係る高圧トランスを示す分解図
【図５】本発明の他の実施形態に係る高圧トランスを示す概念図
【符号の説明】
【００４６】
１１、１１１      高圧トランス
１７Ａａ〜１７Ａｄ、１７Ｂａ〜１７Ｂｄ、１９A、１９B      端子ピン
１８Ａ〜１８Ｄ      からげ端子
２１Ａ、２１Ｂ、１２１Ａ、１２１Ｂ      ボビン
２７Ａ、２７Ｂ      巻線用端子台
３０Ａ、１３０Ａ      第１のコア
３０Ｂ、１３０Ｂ      第２のコア
３１      第３のコア
３２Ａ、３２Ｂ、１３２Ａ、１３２Ｂ      磁路
３３Ａ、３３Ｂ      トランス部
４０Ａ、４０Ｂ      鍔板
４２Ａ、４２Ｂ、４３Ａ、４３Ｂ      仕切り板
４５Ａ、４５Ｂ      １次側巻線
４６Ａ、４６Ｂ      ２次側巻線
１３５Ａ、１３５Ｂ、１３５Ｃ      アーム部組合せ部
ａ、ｂ、ｃ、ｄ      磁束の向き
【図１】
2005311227.tif 000003
【図２】
2005311227.tif 000004
【図３】
2005311227.tif 000005
【図４】
2005311227.tif 000006
【図５】
2005311227.tif 000007